(57)【要約】【課題】使用後に折り畳んだ濡れた傘を伸縮ケース部で被った場合に、伸縮ケース部の各短円筒の接続箇所(嵌合箇所)から雨水が外に漏れ出すのを確実に防止できる傘用伸縮ケースを提供することにある。【解決手段】複数の短円筒８からなる伸縮ケース部１５を備えた傘用伸縮ケース１において、互いに嵌合する短円筒８は、端部４０寄りの外周部４６に段差を設けて他端部４１から段差部４２までより高さ(厚さ)の高い(厚い)係止部４３を形成し、係止部４３に環状溝４５を形成し、内周部４７の他端部４１から所定幅の係止用凸部４８を形成し、係止用凸部４８よりも高さ(厚さ)の低い(薄い)止水リング当接部４９を係止用凸部４８の隣に所定幅に形成し、上記の短円筒８の環状溝４５に止水リング４４を備えた構成にしてある。【選択図】  図６
2007167189.tif 000002
【特許請求の範囲】
【請求項１】
傘の頂部に取り付ける石突部と、上記石突部に摺動可能に外嵌して所定箇所で係止する最上部の短円筒を含む、僅かに径の異なる複数の短円筒を所定箇所で互いに係止できるようにして順次摺動可能に嵌め合わせて伸縮自在に構成し、引き伸ばして折り畳んだ傘の外周面を被覆できる伸縮ケース部と、傘の下部の把持部を被覆して上記伸縮ケース部の最下部の短円筒に着脱できるキャップと、を備えた傘用伸縮ケースにおいて、
上記の互いに嵌合する短円筒は、一端部寄りの外周部に段差を設けて他端部から段差部までより高さ(厚さ)の高い(厚い)抜け止め用の係止部を形成するとともに、この係止部に止水リング用の環状溝を形成し、かつ、内周部の他端部から所定幅の係止用凸部を形成するとともに、この係止用凸部よりも高さ(厚さ)の低い(薄い)止水リング当接部を係止用凸部の隣に所定幅に形成し、かつ、上記の短円筒の環状溝に止水リングを備えたことを特徴とする傘用伸縮ケース。
【請求項２】
互いに嵌合する短円筒の内周部に、止水リング当接部よりも高さ(厚さ)の低い(薄い)内面部を、止水リング当接部から短円筒の端部まで形成したことを特徴とする請求項1記載の傘用伸縮ケース。
【請求項３】
互いに嵌合する短円筒の抜け止め用の係止部の外端部に、環状にまたは同円周上に間欠的に切欠部を形成したことを特徴とする請求項１または２記載の傘用伸縮ケース。
【請求項４】
互いに嵌合する短円筒の抜け止め用の係止部に、凹凸止水部を形成したことを特徴とする請求項１、２または３記載の傘用伸縮ケース。
【請求項５】
互いに嵌合する短円筒の内周部の端部に、凹凸止水部の凸部に係止する抜け防止用凸部を環状に、または同一円周上に間欠的に形成したことを特徴とする請求項４記載の傘用伸縮ケース。
【請求項６】
一方の短円筒８の一端部近傍の外周部に形成した凸部に当接係止する他方の短円筒の抜け防止用凸部の箇所を、角張る形状に形成したことを特徴とする請求項５記載の傘用伸縮ケース。
【請求項７】
伸縮ケース部の最下部の短円筒の外周部に、短円筒の上端側の傾斜面の角度が短円筒の下端側の傾斜面の角度より緩く形成したキャップ脱着凸部を形成すると共に、上記キャップ脱着凸部の傾斜のきつい傾斜面側に隣接するようにして無理嵌め用溝を形成したことを特徴とする請求項１〜６のいずれか一項に記載の傘用伸縮ケース。
【請求項８】
石突部を傘の頂部に接続できるジョイントを備え、上記ジョイントは石突部の開口部に無理嵌め係止する石突嵌合部を有し、かつ石突嵌合部の下面側を円錐傾斜面に形成したことを特徴とする請求項１〜７のいずれか一項に記載の傘用伸縮ケース。
【請求項９】
傘の把持部の下面中央に形成した窪み部に嵌合する突起をキャップの内面中央に形成したことを特徴とする請求項１〜８のいずれか一項に記載の傘用伸縮ケース。
【請求項１０】
止水部材用環状溝の底部側の側部に、上記止水部材の一部を張り出し係合させる係合部を形成し、この係合部を有する上記環状溝に二重成型によって止水部材を充填形成して、短円筒と一体的に形成した止水部材を上記環状溝に形成したことを特徴とする請求項１〜９のいずれか一項に記載の傘用伸縮ケース。
【発明の詳細な説明】
【技術分野】
【０００１】
本発明は傘用伸縮ケースに関し、主に折畳傘に設けて雨後に折り畳んだ傘の雫によって衣服や、手提げ袋やバッグ等の内部を濡らすことのない傘用伸縮ケースに関する。
【背景技術】
【０００２】
一般的な折畳み傘にあっては、降雨が予想されるような時に、折り畳んだ傘を付属の袋カバーに収納してバック等に入れて持ち歩いている。そして外出中に雨が降ってきたらバッグ等から取り出し袋カバーを外して傘を使用し、使用後は濡れた傘を畳んで再び袋カバー内に収納してバッグ等に入れている。しかし、濡れた傘の雫が袋カバーを浸透してバック内を濡らしてしまうことがある。
【０００３】
そこで、従来、濡れた折畳み傘を被覆して雫が外に漏れないようにするために、合成樹脂で形成した直径の異なる複数の短円筒を伸縮自在に接続した伸縮ケース部等を備えた傘用伸縮ケースが開発されている。
【０００４】
しかしながら、この開発されている傘用伸縮ケースでは、各短円筒の接続箇所(嵌合箇所)の封水が必ずしも完全ではなく、例えば濡れた折畳み傘を被覆してバック等に化粧品や単行本等といっしょに収納した場合、これらの物が引き伸ばした伸縮ケース部に当たって押えたりした場合、短円筒の接続箇所(嵌合箇所)に僅かな隙間が生じさせ、傘についた雨水がその箇所から外に漏れ出してしまうといった問題があった。
【０００５】
なお、本発明に関連する特許文献としては次の文献等がある。
【特許文献１】実開平３-４７１３号公報
【特許文献２】実開昭６３-２２１１４号公報
【特許文献３】実開昭６２-２４７１４号公報
【特許文献４】特開２００２-２９１５０９号公報
【発明の開示】
【発明が解決しようとする課題】
【０００６】
本発明は上記のような点に鑑みて開発されたものであり、その目的とするところは、使用後に折り畳んだ濡れた傘を伸縮ケース部で被覆した場合に、伸縮ケース部の各短円筒間の接続箇所(嵌合箇所)から雨水が外に漏れ出すのを確実に防止できる傘用伸縮ケースを提供することにある。
【課題を解決するための手段】
【０００７】
上記のような目的を有効に達成するために、本発明は次のような構成の傘用伸縮ケースである。すなわち、請求項１に記載の本発明は、傘の頂部に取り付ける石突部と、上記石突部に摺動可能に外嵌して所定箇所で係止する最上部の短円筒を含む、僅かに径の異なる複数の短円筒を所定箇所で互いに係止できるようにして順次摺動可能に嵌め合わせて伸縮自在に構成し、引き伸ばして折り畳んだ傘の外周面を被覆できる伸縮ケース部と、傘の下部の把持部を被覆して上記伸縮ケース部の最下部の短円筒に着脱できるキャップと、を備えた傘用伸縮ケースにおいて、上記の互いに嵌合する短円筒は、一端部寄りの外周部に段差を設けて他端部から段差部までより高さ(厚さ)の高い(厚い)抜け止め用の係止部を形成するとともに、この係止部に止水リング用の環状溝を形成し、かつ、内周部の他端部から所定幅の係止用凸部を形成するとともに、この係止用凸部よりも高さ(厚さ)の低い(薄い)止水リング当接部を係止用凸部の隣に所定幅に形成し、かつ、上記の短円筒の環状溝に止水リングを備えたことを特徴とする傘用伸縮ケースである。
【０００８】
請求項２に記載の本発明は、互いに嵌合する短円筒の内周部に、止水リング当接部よりも高さ(厚さ)の低い(薄い)内面部を、止水リング当接部から短円筒の端部まで形成したことを特徴とする請求項1記載の傘用伸縮ケースである。
【０００９】
請求項３に記載の本発明は、互いに嵌合する短円筒の抜け止め用の係止部の外端部に、環状にまたは同円周上に間欠的に切欠部を形成したことを特徴とする請求項１または２記載の傘用伸縮ケースである。
【００１０】
請求項４に記載の本発明は、互いに嵌合する短円筒の抜け止め用の係止部に、凹凸止水部を形成したことを特徴とする請求項１、２または３記載の傘用伸縮ケースである。
【００１１】
請求項５に記載の本発明は、互いに嵌合する短円筒の内周部の端部に、凹凸止水部の凸部に係止する抜け防止用凸部を環状に、または同一円周上に間欠的に形成したことを特徴とする請求項４記載の傘用伸縮ケースでわる。
【００１２】
請求項６に記載の本発明は、一方の短円筒８の一端部近傍の外周部に形成した凸部に当接係止する他方の短円筒の抜け防止用凸部の箇所を、角張る形状に形成したことを特徴とする請求項５記載の傘用伸縮ケースである。
【００１３】
請求項７に記載の本発明は、伸縮ケース部の最下部の短円筒の外周部に、短円筒の上端側の傾斜面の角度が短円筒の下端側の傾斜面の角度より緩く形成したキャップ脱着凸部を形成すると共に、上記キャップ脱着凸部の傾斜のきつい傾斜面側に隣接するようにして無理嵌め用溝を形成したことを特徴とする請求項１〜６のいずれか一項に記載の傘用伸縮ケースである。
【００１４】
請求項８に記載の本発明は、石突部を傘の頂部に接続できるジョイントを備え、上記ジョイントは石突部の開口部に無理嵌め係止する石突嵌合部を有し、かつ石突嵌合部の下面側を円錐傾斜面に形成したことを特徴とする請求項１〜７のいずれか一項に記載の傘用伸縮ケースである。
【００１５】
請求項９に記載の本発明は、傘の把持部の下面中央に形成した窪み部に嵌合する突起をキャップの内面中央に形成したことを特徴とする請求項１〜８のいずれか一項に記載の傘用伸縮ケースである。
【００１６】
請求項１０に記載の本発明は、止水部材用環状溝の底部側の側部に、上記止水部材の一部を張り出し係合させる係合部を形成し、この係合部を有する上記環状溝に二重成型によって止水部材を充填形成して、短円筒と一体的に形成した止水部材を上記環状溝に形成したことを特徴とする請求項１〜９のいずれか一項に記載の傘用伸縮ケースである。
【発明の効果】
【００１７】
本発明の傘用伸縮ケースでは、伸縮ケース部を引き伸ばして各短円筒で濡れた傘を被覆した場合、嵌合する互いの短円筒は圧接された止水リングを介して嵌合した状態となるので、互いの短円筒の接続箇所(止水リングを介して嵌合箇所)から雨水が外に漏れ出すことがない。Lたがって、本発明の傘用伸縮ケースで被覆した濡れた傘をバッグやカバン等に収納しても、傘用伸縮ケースから雨水が漏れて他の収納物をバッグ等とともに濡らしてしまうことがない。また、雨が止んだり、地下街等を歩くときに濡れた傘を畳み、本発明の傘用伸縮ケースで被覆して持ち歩いても、上記した接続箇所からの雨水漏れがないので、使用者は衣服が濡れて不快の思いをすることもない。また、上記のように濡れた傘を被覆するために伸縮ケース部を引き伸ばした場合に、外側の短円筒の内周部の係止用凸部が、嵌合する内側の短円筒の外周部の段差部に係止する。この時に、外側の短円筒の所定幅の係止用凸部が内側の短円筒の外周部に当接するために、互いの短円筒の上記した接続箇所で外力による曲げがあっても、互いの短円筒の接続箇所に曲がりが生じるのを防止できる。そのため、互いの短円筒の接続箇所に隙間を生じさせる要因をなくすことができる。
【００１８】
また、本発明の傘用伸縮ケースは、短円筒の内周部に、止水リング当接部よりも高さ(厚さ)の低い(薄い)内面部を止水リング当接部に隣接して短円筒の一端部まで形成してあるので、引き伸ばした伸縮ケース部を収縮させる場合に、外側の短円筒の止水リング当接部に庄接している内側の短円筒の止水リングは、止水リング当接部を過ぎると外側の短円筒の止水リング当接部よりも高さ(厚さ)の低い(薄い)内面部を移動し、上記止水リングが
圧接状態を解除されて互いの短円筒を収縮させることができて、引き伸ばした伸縮ケース部を固くなく容易に収縮させることができる。
【００１９】
また、本発明の傘用伸縮ケースは、短円筒の内周部の一端部に、環状にまたは同一円周上に間欠的に抜け防止用凸部を形成してあるので、引き伸ばした伸縮ケース部を収縮させた時に、内側の短円筒の端が外側の短円筒の抜け防止用凸部に引っ掛かり、各短円筒が抜けてしまうことがない。
【００２０】
また、本発明の傘用伸縮ケースは、短円筒の抜け止め用の係止部の外端部に、環状にまたは同一円周上に間欠的に切欠部を形成してあるので、引き伸ばした伸縮ケース部を収縮させた時に、外側の短円筒の抜け防止用凸部が内側の短円筒の端の切欠部内に入り、複数の短円筒の重なり合う伸縮ケース部をよりコンパクトに収縮させることができる。
【００２１】
また、本発明の傘用伸縮ケースは、短円筒の抜け止め用の係止部に、凹凸止水部を形成してあるので、内側の短円筒に設けた止水リングとともにこの凹凸止水部が、外側の短円筒の内周面に圧接して、互いの短円筒の接続箇所からの雨水漏れをより確実に防止することができる。
【００２２】
また、本発明の傘用伸縮ケースは、一方の短円筒の一端部近傍の外周部に形成した凸部に当接係止する他方の短円筒の抜け防止用凸部の箇所を、角張る形状に形成してあるので、互いの短円筒にある程度の外すための力を加えないかぎり、係止関係が簡単に解除されてしまうといったことがない。
【００２３】
また、本発明の傘用伸縮ケースは、傘を差す場合に、伸縮ケース部を石突部側に収縮させ、最も外側に位置する最下部の短円筒に、傘の把持部を被覆していたキャップを被せる際に、上記短円筒の無理嵌め用溝に、キャップの脱着凸部の傾斜の緩い傾斜面を摺動させてキャップの係止部を容易に嵌め込むことができ、また無理嵌め用溝に隣接するキャップ脱着凸部の傾斜面は急なため、ある程度の引き抜く力を加えない限り、簡単にキャップが外れてしまうといったことがない。
【００２４】
また、本発明の傘用伸縮ケースは、石突部を傘の頂部に接続できるジョイントを備え、この石突嵌合部の下面側を円錐傾斜面にしてあるので、傘を差す場合に、ジョイント側に近接する傘の骨部材のヒンジ部の上端が少し上方に移動して展開するが、上記の円錐傾斜面に沿って上記ヒンジ部の上端が移動して展開するため、ヒンジ部の上端がジョイントの下面に接触して傘を展開しずらくするといったことがない。
【００２５】
また、本発明の傘用伸縮ケースは、傘の把持部の下面中央に形成した窪み部に嵌合する突起をキャップの内面中央に形成してあるので、使用後に濡れた傘を折り畳み、石突部側に収縮させていた伸縮ケース部を、この伸縮ケース部に被せてあったキャップを外して引き伸ばし、伸縮ケース部で濡れた傘の外周面を被い、伸縮ケース部の把持部側に位置する最下部の短円筒に上記キャップを取り付ける際に、キャップの突起を把持部の下面中央の窪み部に嵌め込むことにより、簡単にかつ確実に上記最下部の短円筒の係止部にキャップを嵌め合わせて係止することができる。そのため、上記最下部の短円筒に対するキャップの嵌め合わせが歪になって係止箇所に隙間が生じることもなく、確実に濡れた傘からの雨水の漏れを防止することができる。
【００２６】
また、本発明の傘用伸縮ケースは、止水部材の一部が環状溝の底部側の側部に形成した係合部に係合した状態で取り付け、かつ短円筒と止水部材とが材質は別であるが一体的に形成してあるので、短円筒どうしの嵌め合わせの際に止水部材が短円筒間の隙間に競り上がるといったこともない。
【発明を実施するための最良の形態】
【００２７】
以下に本発明を実施するための最良の形態を図に基づいて説明する。
図１〜図１８は本発明を実施するための最良の形態の傘用伸縮ケースに関する図である。先ず本発明の傘用伸縮ケース１(図１〜図４参照)を設ける傘、特に折畳傘２は特別な構造の傘ではなく、中軸７を２段又は３段等に繋いで伸縮でき、使用しなときには折り畳んでかばん等に仕舞い込んでおくことができる折畳傘である。勿論、本発明の傘用伸縮ケース１を設ける傘は、折畳傘に限らず、中軸を伸縮できない所謂折畳傘でない傘であってもよい。
【００２８】
図示の例の傘用伸縮ケース１は、折畳傘２(以後、単に傘２という)を差すときに、各短円筒８を傘２の先端の石突部３側に収縮させるタイプである(図２、図３参照)。
【００２９】
すなわち、傘用伸縮ケース１は、段階的に僅かに直径(外径、内径)の異なる複数(図示の例では５個)の短円筒８を繋いだ伸縮ケース部１５と、キャップ１６からなるものである。
【００３０】
各短円筒８は、合成樹脂または金属等によって厚さ１.０５mm以下の薄肉で、長さ数ｃmに形成されたものである。勿論、短円筒８の長さは一定長さに限定されるものではなく、また、短円筒８の数も図示の例に限らず５個以外の複数個であってもよい。
【００３１】
各短円筒８は、折り畳んだ傘２の傘地９(図２参照)に対して摺動可能な極僅かの隙間を以って傘地９の外周面を被覆する内径である。また、伸縮ケース部１５は、伸長させた(引き伸ばした)時に折り畳んだ傘２の傘地９全体を完全にまたは略完全に被覆できる長さである。
【００３２】
この傘用伸縮ケース１は、上記の短円筒８を順次嵌め合わせて繋いだ伸縮自在なる伸縮ケース部１５に構成して、キャップ１６とともに図１、図２に示すように折り畳んだ傘２に設ける。傘２を展開する時には、後述するキャップ１６(図２、図３参照)を外し、石突部３側に伸縮ケース部１５を収縮させ、この外したキャップ１６を石突部３側に収縮させた伸縮ケース部１５に被せる。そして、図４のような状態で傘２を使用する。
【００３３】
傘２を折り畳む時は、キャップ１６を石突部３側から外し、展開していた傘２を折畳み、伸縮ケース部１５を傘２の把持部４側に引き伸ばした後に、上記のキャップ１６を把持部４に被せて伸縮ケース部１５の最も把持部４側の短円筒８ａに嵌合係止し、折り畳んだ傘２を伸縮ケース部１５とキャップ１６で完全に被覆する(図１、図４参照)。
【００３４】
このようにして使用後の傘２を折り畳んで傘用伸縮ケース１で完全に被覆することにより、濡れた傘２の雫がケース１から漏れることもなく、また、濡れた傘地９が衣服や身体に触れて不快な思いをすることもない。勿論、かばんやバック等に仕舞い込んでも内部を濡らしてしまうことがない。また、折り畳んで傘用伸縮ケース１で被った傘２は見栄えも良く、そのまま手で持ち歩いても今までにないファッション感覚で街を歩くことができる。
【００３５】
そこで、本発明の傘用伸縮ケース１の要部である伸縮ケース部１５の短円筒８について、図５〜図１０を参照しながらさらに詳述する。
【００３６】
上記の各短円筒８(後述する最も把持部４側の短円筒８ａは一部構成が異なる)は(図６、図７参照)、外周部４６はテーパー形成されていて、この外周部４６の端部４０寄り(各短円筒８の繋がってなる伸縮ケース部１５を傘２に設けた場合に傘２の把持部４側に位置する端側の部分)に段差を形成して、この段差部４２から外端部５２(正確には後述する切欠部５３)までに、他端部４１(傘２の石突部３側の部分)から段差部４２までの高さ(厚さ)よりも高さ(厚さ)の高い(厚い)抜け止め用の係止部４３を形成するとともに、この係止部４３の段差部４２の近傍に止水リング(例えば０リング等)をはめ込む環状溝４５を形成してある。さらに係止部４３の切欠部５３側には、後述する止水リング当接部４９と内面部５０の高さ(厚さ)の差の高さ(厚さ)に相当する高さ(厚さ)の凸部４３ａを環状にまたは同一円周上に間欠的に形成してある。
【００３７】
また、上記の短円筒８は、内周部４７(図６、図８参照)の他端部４１から所定幅(長手方向に例えば３mm位)の係止用凸部４８を形成し、この係止用凸部４８よりも高さ(厚さ)の低い(薄い)止水リング当接部４９を係止用凸部８の隣接して所定幅(長手方向に例えば２４mm位)に形成してある。さらに上記の止水リング当接部４９よりも高さ(厚さ)の低い(薄い)内面部４７を止水リング当接部４９から端部４０まで形成してある。止水リング当接部４９と内面部４７との隣接箇所には、止水リング４４を円滑に止水リング当接部４９から内面部４７に、或いは内面部４７から止水リング当接部４９に摺動させることができるように傾斜面６０を形成してある。
【００３８】
短円筒８の内周部４７の端部４０には、環状にまたは同一円周上に間欠的に抜け防止用凸部５１を形成するとともに、係止部４３の外端部５２に、環状にまたは同円周上に
間欠的に切欠部５３が形成してある。さらに、この短円筒８の上記の抜け防止用凸部５１と所定間隔、すなわち、この所定間隔とは内側に位置する短円筒８の凸部４３ａの幅より僅かに広い位の間隔で、上記の抜け防止用凸部５１の高さの半分位の高さの抜け防止用凸部５１ａが、内周部４７に環状にまたは同一円周上に間欠的に形成されている。また、この抜け防止用凸部５１ａが上記の抜け防止用凸部５１より高さを半分位にしてあるのは、収縮させた伸縮ケース部１５を引き伸ばす際に少し力を入れて伸縮ケース部１５を引き伸ばすことにより、内側の短円筒８の凸部４３ａに抜け防止用凸部５１ａが容易に乗り上げて引き伸ばすことができるようにするためである。
【００３９】
上記のような構成からなる短円筒８には、環状溝４５に止水リング４４が嵌め込んである。この止水リング４４の直径は、環状溝４５の深さより僅かに大きいものである。止水リング４４は通常の状態(圧接されていない状態)の場合、一部４４ａ(図７参照)が環状溝４５の外に出ている。
【００４０】
このように止水リング４４を備えた短円筒８を順次嵌合接続した伸縮ケース部１５で
は、濡れた傘２を被覆する場合に伸縮ケース部１５を引き伸ばしていくと、外側の短円筒８(図９参照)の内周部４７の係止用凸部４８の端４８ａが、嵌合する内側の短円筒８の外周部４６の段差部４２に当たって係止する。
【００４１】
この時に、外側の短円筒８の止水リング当接部４９が、内側の短円筒８の止水リング４４に当接してこの止水リング４４を圧接する。このことにより内側の短円筒８と外側の短円筒８とは、止水リング４４を介して接続箇所５４(嵌合箇所)'で隙間なく接合し、この箇所５４から外に傘２についた雨水の雫が漏れ出すこともない。さらに、外側の短円筒８を曲げるような外力が加わっても、外側の短円筒８の所定幅に形成した係止用凸部４８は、内側の短円筒８の外周部４６に当たる面積が広いため(係止用凸部４８の長さが従来の長さに比べて長いため)、外側の短円筒８が撓むのを外側の短円筒８の係止用凸部４８が内側の短円筒８の外周部４６に当たることによって防止し、外側の短円筒８と内側の短円筒８との接続箇所５４に隙間が生じるのをより確実に防止することができる。
【００４２】
また、短円筒８の内周部４７には、止水リング当接部４９よりも高さ(厚さ)の低い(薄い)内面部５０を、傾斜面６０から短円筒８の一端部４０まで形成してある。したがって、引き伸ばした伸縮ケース部１５を収縮させる場合、伸長時に外側の短円筒８の止水リング当接４９部によって圧接されていた内側の短円筒８の止水リング４４は、外側の短円筒８の止水リング当接部４９を摺動した後に、傾斜面６０を介して止水リング当接部４９よりも高さ(厚さ)の低い(薄い)内面部５０に位置することになる。
【００４３】
このことにより上記のように圧接されていた内側の短円筒８の止水リング４４は、元の状態に復元することができ、外側の短円筒８の内面部５０と極僅かの隙間のある状態或いは面一の状態になり、軽く内外の短円筒８を移動させて伸縮ケース部１５を収縮させることができる。また、内側の短円筒８の凸部４３ａは、外側の短円筒８の内面部５０に位置して、互いに嵌合した短円筒８を引き伸ばしたときに、外側の短円筒８の傾斜面６０の端部に当接する(図９参照)。
【００４４】
上記のように引き伸ばした伸縮ケース部１５を収縮させた時(図１０参照)、外側の短円筒８の抜け防止用凸部５１は、内側の短円筒８の切欠部５３内に入り込んで凸部４３ａに引っ掛かり、各短円筒８の図中の矢印Ａ方向への抜け落ちを防止することができる。また、外側の短円筒８の抜け防止用凸部５１ａは、内側の短円筒８の凸部４３ａに引っ掛かり、各短円筒８の図中の矢印Ｂ方向への抜け落ちを防止することができる。
【００４５】
なお、本発明にかかる短円筒８においては、図１１〜図１３に示すように、上記した短円筒８の構成において、外周部４６の抜け止め用の係止部４３に、溝用凸部５５に隣接して、端部４０側に連続する山形凸部５６と凸部４３ａとからなる凹凸止水部５８を形成してもよい。この短円筒８の場合、上記した山形凸部５６及び凸部４３ａは、環状にまたは同一円周上に間欠的に形成したものである。
【００４６】
上記の各山形凸部５６は、通常は溝用凸部５５より僅かに高く、通常の止水リング４４の頂点４４ｂと同じ高さである。そして伸縮ケース部１５を収縮させて(図１２参照)、外側の短円筒８の係止用凸部４８が内側の短円筒８の段差部４２に係止した際に、外側の短円筒８の止水リング当接部４９が止水リング４４に圧接するのともに各山形凸部５６の頂部５６ａも圧接する。またこの時、凸部４３ａは外側の短円筒８の内周部５０に嵌り込んで、凸部４３ａの上面５７ａは上記の内周部５０に当接した状態になる。
【００４７】
それ故に各短円筒８の接続箇所５４においては、外側の短円筒８に圧接及び当接する内側の短円筒８の止水リング４４、各山形凸部５６および凸部４３ａによって、引き伸ばした伸縮ケース部１５内にある折り畳んだ傘２についている雨水の雫の外への漏れを、より確実に防止することができる。なお、上記の外側の短円筒８の止水リング当接部４９で圧接され、頂部５６ａが極僅か弾性変形した内側の短円筒８の各山形凸部５６は、圧接が解除されることにより元の状態に復元する。
【００４８】
また、各短円筒８の環状溝４５を形成した箇所の内面側には、環状にまたは同一円周上に間欠的に膨出部５９が形成してある。そして伸縮ケース部１５を収縮させた時に(図１３参照)、外側の短円筒８の膨出部５９が内側の短円筒８の止水リング４４を圧接することになる。そのため、石突部３側に伸縮ケース部１５を収縮させた場合に(図１４参照)、止水リング４４の箇所から下側に雨水が流れるのを確実に防止することができる。
【００４９】
また、石突部３の下部寄りの外周面には環状の係止凹部６０が形成され、この係止凹部６０にも止水リング４４が嵌め込んである。そして伸縮ケース部１５の石突部３側への収縮時には短円筒８ｂの下端側の膨出部５９が石突部３の止水リング４４を圧接して係止する。
【００５０】
また、伸縮ケース部１５を伸長させた時には短円筒８ｂの上端側の係止用凸部４８が石突部３の係止部３ａに係止することになる。
【００５１】
また、上記の伸縮ケース部１５の最も把持部４側の短円筒８ａ(図１５〜図１８参照)に
は、傘２の把持部４側(図２参照)の外周端近傍の外周面１７に、上記キャップ１６を着脱自在に外嵌係止できる嵌合係止部１８が形成してある。
【００５２】
この嵌合係止部１８(図１５参照)は、短円筒８ａの把持部側１９の外周端２０近傍の外周面１７に環状に隆起形成した環状凸部１８ａと、図示の例では同一円周上の４箇所(図１６参照)に所定間隔を以って環状凸部１８ａより少し外周端２０寄りに形成した円弧状凸部１８ｂと、円弧状凸部１８ｂの中間で環状凸部１８ａと繋ぐ繋ぎ凸部１８ｃ、並びに環状凸部１８ａと円弧状凸部１８ｂと繋ぎ凸部１８ｃとによって形成されるコ状係合部１８ｄとによって構成されている。
【００５３】
さらに図示の例では環状凸部１８ａに隣接して環状凹部２１と、この環状凹部２１に隣接して係止部４３とが形成してある。係止部４３には止水リング４４をはめ込む環状溝４５が形成してある。この環状溝４５には止水リング４４が嵌め込まれている。
【００５４】
一方、この短円筒８ａの嵌合係止部１８に着脱自在に嵌合係止するためにキャップ１６(図１８参照)は、端を開口した有底短筒状の樹脂成形品であって、開口端２３の傍と開口端２３寄りの内周面２４に、円周上に所定間隔を以って、かつ所定間隔を以って平行に円弧状の係止用凸部２５(２５ａ,２５ｂ)が形成してある。
【００５５】
このキャップ１６の開口端２３側を上記した短円筒８ａの嵌合係止部１８に外嵌して、短円筒８ａの嵌合係止部１８にキャップ１６の係止用凸部２５を嵌合係止する場合(図１５,図１７参照)は、短円筒８ａの同周円上の円弧状突部１８ｂと円弧状突部１８ｂとの各隙間２６から、キャップ１６の各係止用凸部２５(２５ａ,２５ｂ)を嵌合させて挿入する。
【００５６】
そして、キヤツプ１６の各係止用凸部２５ａが短円筒８ａの環状凸部１８ａ、環状凹部２１を超えて、環状隆起部２２に乗り上げ、かつ、キャップ１６の係止用凸部２５ｂが短円筒８ａの環状凸部１８ａに当たるまで挿入する。その後に、キャップ１６を円周方向に少し回して、係止用凸部２５ｂを短円筒８ａのコ状係合部１８ｄに嵌合させ、短円筒８ａの同周円上の各円弧状突部１８ｂに、キャップ１６の各係止用凸部２５ｂを係止させる。
【００５７】
このようにして短円筒８ａにキャップ１６を嵌合係止することにより、伸縮ケース部１５やキャップ１６で覆われた折り畳んだ濡れた傘２から零れる雫は、各短円筒８の接続箇所５４や、短円筒８ａとキヤツプ１６の嵌合係止箇所２７や、石突部３と短円筒８ｂの係止リング４４を介した接続箇所から外に漏れようとするが、各係止リング４４等によって外に漏れ出すのを阻止される。
【００５８】
図１９は本発明にかかる他の例の石突部３を断面で示した説明図であり、石突部３の開口部７４側の内周端部７０に僅かに段差部７１を形成してある。また石突部３の内部中心部には、下端部にフランジ７２と突出樹脂部７８を形成したジョイント７３を備え、さらにこの石突部３は開口部７４側を閉鎖するドーナツ状の軟質樹脂円板７５を備えている。この軟質樹脂円板７５は、内周端部７６を上記ジョイント７３のフランジ７２の内面に当接させ、外周端部７７を石突部３の段差部７１に当接させて取り付けてある。石突部３の開口部７４側の下端７９と軟質樹脂円板７５の外面７５ａとの間の間隔は、この例では０.３mmである。軟質樹脂円板７５とまた、ジョイント７３の突出樹脂部７８には、中空なる中軸７の上端部を嵌着してある。
【００５９】
上記の石突部３にあって、開口部７４側を閉鎖する軟質樹脂円板７５を設けたことにより、折畳み傘を折畳んだときに、傘骨(図示省略)の上端が軟質樹脂円板７５を押し上げ、軟質樹脂円板７５の内周端部７６側が石突部３内側に少し撰んで、傘骨(図示省略)の上端部は少し石突部３内に入った状態となる。上記の傘骨が展開しようとしても、上記した石突部３の開口側７４の下端７９と軟質樹脂円板７５の外面７５ａとの０.３mmの隙間により、傘骨の上端部が石突部３の開口部７４側の内周端部７０に当たって展開するのを阻止される。
また、傘を開くときには、傘骨の上端部が上記した０.３mmの隙間の箇所から石突部３の開口部７４側の内周端部７０に当たっているので、傘を開くときには簡単にこの内周端部７０の引っ掛かりを越えさせて傘を開くことができる。
【００６０】
なお、本発明にかかる短円筒は上記した図示の例に限らず、図示省略するが、端部寄りの外周部に段差を設けて他端部から段差部までよりも高さ(厚さ)の高い(厚い)抜け止め用の係止部を形成するとともに、この係止部に止水リング用の環状溝を形成し、かつ、内周部の他端部から所定幅の係止用凸部を形成するとともに、この係止用凸部よりも高さ(厚さ)の低い(薄い)止水リング当接部を係止用凸部に隣接して所定幅に形成し、短円筒の上記の環状溝に止水リングを備えた構成のもの(Ｘとする。)でもよいし、或いは、この(Ｘ)の構成にさらに内周部の端部に、環状にまたは同一円周上に間欠的に抜け防止用凸部を形成した構成のもの(Ｙとする。)でもよいし、さらにまた、上記の(Ｘ)または(Ｙ)の構成のものの外端部に環状にまたは同一円周上に間欠的に切欠部を形成した構成のものであってもよい。
【００６１】
図２０は本発明に係る他の例の短円筒８どうしを嵌め合わせた一部分の断面を示す図であり、この例の短円筒８においては、抜け防止用凸部５１の箇所５１ａを角張る形状、例えば立方体の角辺部分のような形状に形成してある。この短円筒８の抜け防止用凸部５１の箇所５１ａは、互いに嵌め合わせた他の短円筒８の凸部４３ａ（図の内側の短円筒８を参照）に当接係止する。なお、この例の短円筒８の他の構成は上記した他の例と同様であり説明を省略する。
【００６２】
このように短円筒８の抜け防止用凸部５１の箇所５１ａを角張る形状に形成したことによって、上記角張った箇所５１ａは一方の短円筒８の凸部４３ａに簡単に外れない程度に引っかかる。そのため、引き伸ばしていた伸縮ケース部１５を石突部３側に収縮させて傘を開いて使用したり、傘を畳んで石突部３側を下にして傘を持ち歩いている場合に、互いの短円筒８の係止関係が簡単に解除されて短円筒８が自然にずれてしまうといったことがない。
【００６３】
図２１は本発明に係る他の例の伸縮ケース部１５の最下部の短円筒８に関し、この短円筒８の少し下端側（一端部４０）寄りの外周部４６に、この短円筒８の上端側（他端部４１）の傾斜面８１の角度が下端側（一端部４０）の傾斜面８２の角度より緩くなるようにしたキャップ脱着凸部８３を形成してある。さらに上記キャップ脱着凸部８３の急な傾斜面８２側には、無理嵌め用溝８４が隣接して形成してある。またキャップ脱着凸部８３の上面８５は、上端側（他端部４１）が少し低くなるように傾斜している。この例の短円筒８の他の構成は上記した例と同様であり説明を省略する。
【００６４】
この例の短円筒８を伸縮ケース部１５の最下部（最も外側）に備えた傘用伸縮ケースでは、傘を差す場合に（図１〜図４参照）、キャップ１６を伸縮ケース部１５から外してこの伸縮ケース部１５を石突部３側に収縮させ、収縮させた伸縮ケース部１５の最も外側に位置するこの例の短円筒８に上記キャップ１６を被せる。この際、キャップ１６の係止部は、キャップ脱着凸部８３の緩い傾斜面８１から上面８５を摺動させることによって簡単に無理嵌め用溝８４に嵌め込むことができる。また、無理嵌め用溝８４に隣接するキャップ脱着凸部８３の傾斜面８２は急なため、多少強い引き抜き力を加えない限り簡単にキャップ１６は外れることがない。
【００６５】
図２３は本発明に係る他の例の傘用伸縮ケース１の説明図であって、この例の傘用伸縮ケース１は、上記した各例の傘用伸縮ケースの構成にさらに、石突部３を傘の頂部に接続するジョイント８６を備えている。
【００６６】
上記ジョイント８６（図２２〜図２４参照）は、石突部３の開口部７４に無理嵌め嵌合する石突嵌合部８７と、石突嵌合部８７の上部中央に形成した上部雄ネジ部８８と、石突嵌合部８７の下部中央に形成した下部雄ネジ部８９とを、一体形成したものである。さらに、石突嵌合部８７の下面側は、外縁９１から下部雄ネジ部８９側にかけて斜め下方に傾斜した円錐傾斜面９０にしてある。また、石突嵌合部８７の外周端である石突接合面９２（図２５参照）は、段差形成し、石突部３の開口部７４側の内周部に形成した段差に無理嵌め嵌合して強く固着するようにしてある。
【００６７】
ジョイント８６の上部雄ネジ部８８は、石突部３の内面中央に形成した筒部９３の雌ネジ部９４にねじ付ける。また、ジョイント８６の下部雄ネジ部８９は、中軸７の上端から中に形成した雌ネジ部９５にねじ付ける。
【００６８】
上記のジョイント８６を備えた傘用伸縮ケース１を取り付けた傘２にあっては、折り畳んだ傘２を差すために伸縮ケース部１５を石突部３側に収縮させ、この収縮させた伸縮ケース部１５にキャップ１６を被せ、中軸７に沿って摺動操作部材９５を石突部３側に移動させて傘骨２ａを展開させる時に、傘骨２ａのヒンジ部９６が石突嵌合部８７側に少し上がって展開していく。しかし、ジョイント８６の下面は円錐傾斜面９０に形成してあるため、上記ヒンジ部９６は円錐傾斜面９０に当たることなく沿って移動する。そのため。使用者は傘（傘骨２ａ）を問題なく展開させることができる。
【００６９】
また、傘用伸縮ケース１が損傷して新しいものと取替える場合も、ジョイント８６の石突嵌合部８７が無理嵌めによって石突部３に強く嵌着された状態であるので、中軸７を回して傘２と傘用伸縮ケース１とを分離する時に、ジョイント８６の石突嵌合部８７が石突部３の嵌着箇所で回って、キャップ１６の雌ネジ部９４の箇所から先にジョイント８６が外れてしまうといったことがない。
【００７０】
図２４は本発明に係る他の例の傘用伸縮ケース１の説明図であって、この例の傘用伸縮ケース１では、キャップ１６の内面中央に円錐状の突起９８が形成してある。この例の傘用伸縮ケース１を使用する場合は、前提として、上記突起９８を嵌合する円錐状の窪み部９７を把持部４の下面中央に形成した傘２を使用する。
【００７１】
この例の傘用伸縮ケース１であれば、使用後に濡れた傘２を折り畳んで傘用伸縮ケース１で全体を被覆する場合に、石突部３側から把持部４側に引き伸ばした伸縮ケース部１５の最下部の短円筒８に上記キャップ１６を係止する時に、キャップ１６の突起９８を把持部４の窪み部９７に嵌め合わせることにより、簡単にかつ確実にキャップ１６を最下部の短円筒８に嵌め合わせることができる。そのため、最下部の短円筒８に対するキャップ１６の嵌め合わせが位置ズレして歪になり、嵌め合わせ箇所に隙間が生じてしまうといったこともなく、濡れた傘２からの雨水漏れを確実に傘用伸縮ケース１で防止することができる。
【００７２】
図２６は本発明に係る短円筒８の一部を示す説明図であって、この例の短円筒８では、止水部材用環状溝４５（先の例の止水リング用環状溝に相当）の底部９９側の側部に、上記止水部材１０１の一部を張り出し係合させる係合部１００を形成してある。
【００７３】
この係合部１００を有する上記環状溝４５には、短円筒８の成型加工時に二重成型によって短円筒８と材質の異なる止水部材１０１を充填し、短円筒８と一体的に形成した止水部材１０１を備えた上記環状溝４５を形成してある。
【００７４】
この例の短円筒８を有する伸縮ケース部１５では、短円筒８どうしの嵌め合わせの際に止水部材１０１が短円筒８間の隙間に競り上がるといったことを防止することができる。
【００７５】
また、図２７に示すように外側の短円筒８の先端部側の係止用凸部４８は、内側の短円筒８の外周部４６に当接する箇所を無理嵌め部１０２としてある。そのため、外側の短円筒８の係止用凸部４８の端が当たる内側の短円筒８の段差部４２の近くでは、内側の短円筒８の凸部１０３と外側の短円筒８との間に隙間１０４が生じることがあっても、外側の短円筒８の無理嵌め部１０２が強く内側の短円筒８の外周部４６に当接するとともに、Ｏリング４４も外側の短円筒８によって押圧され、傘用伸縮ケース１内を確実に封じることができ、かつ短円筒８の自然な抜け（移動）も防止できる。
【図面の簡単な説明】
【００７６】
【図１】本発明の傘用伸縮ケース１で折り畳んだ傘を被った状態の斜視図である。
【図２】図１の本発明の傘用伸縮ケース１からキャップを外して伸縮ケース部を石突部側に収縮させる状態の斜視図である。
【図３】図１の本発明の傘用伸縮ケース１からキャップを外して石突部側に収縮させた伸縮ケース部に、外したキャップを被せた状態の斜視図である。
【図４】傘用伸縮ケース１を備えた傘を展開した状態の斜視図である。
【図５】図１の状態の片側縦断面を示す説明図である。
【図６】本発明にかかる短円筒の片側縦断面を示す説明図である。
【図７】本発明にかかる短円筒の端部側の縦断面を示す説明図である。
【図８】本発明にかかる短円筒の他端部側の縦断面を示す説明図である。
【図９】伸縮ケース部の引き伸ばし時に互いに係合する短円筒の縦断面を示す説明図である。
【図１０】伸縮ケース部の収縮させた時に互いに係合する短円筒の縦断面を示す説明図である。
【図１１】本発明にかかる他の例の短円筒の他端部側の縦断面を示す説明図である。
【図１２】伸縮ケース部の引き伸ばし時に互いに係合する他の例の短円筒の縦断面を示す説明図である。
【図１３】伸縮ケース部の収縮させた時に互いに係合する他の例の短円筒の縦断面を示す説明図である。
【図１４】本発明にかかる伸縮ケース部を石突部側に収縮させた状態の縦断面を示す説明図である。
【図１５】本発明にかかる最も把持部側の短円筒の片側縦断面を示す説明図である。
【図１６】最も把持部側の短円筒の端面図である。
【図１７】(Ａ)(Ｂ)は最も把持部側の短円筒とキャップの係合状態を示す説明図である。
【図１８】(Ａ)はキャップの縦断面図であり、(Ｂ)はキャップの端面図である。
【図１９】本発明にかかる他の例の石突部を断面で示した説明図である。
【図２０】本発明にかかる短円筒を互いに嵌め合わせた一部断面を示す説明図である。
【図２１】本発明にかかる短円筒の説明図である。
【図２２】（ａ）は本発明にかかるジョイントの一部断面を示す正面図、（ｂ）は（ａ）の底面図である。
【図２３】本発明にかかるジョイントを有する傘用伸縮ケースを傘の頂部に備えた状態の説明図である。
【図２４】本発明にかかるまた別の傘用伸縮ケースを傘に備えた状態の断面を示す説明図である。
【図２５】本発明にかかる他の例の石突部の１部断面を示した説明図である。
【図２６】本発明にかかる短円筒の一部断面を示す説明図である。
【図２７】本発明にかかる短円筒を互いに嵌め合わせた一部断面を示す説明図である。
【符号の説明】
【００７７】
１    傘用伸縮ケース
２    傘
３    石突部
４    把持部
８(８ａ)短円筒
１５  伸縮ケース部
１６  キャップ
４０  端部
４６  外周部
４１  他端部
４２  段差部
４３  係止部
４４  止水リング
４５  環状溝
４７  内周部
４８  係止用凸部
４９  止水リング当接部
５０  内面部
５１  抜け防止用凸部
５２  外端部
５３  切欠部
５８  凹凸止水部
７４  開口部
８３  キャップ脱着凸部
８４  無理嵌め用溝
８６  ジョイント
８７  石突嵌合部
９０  円錐傾斜面
９８  突起
１０１止水部材
【図１】
2007167189.tif 000003
【図２】
2007167189.tif 000004
【図３】
2007167189.tif 000005
【図４】
2007167189.tif 000006
【図５】
2007167189.tif 000007
【図６】
2007167189.tif 000008
【図７】
2007167189.tif 000009
【図８】
2007167189.tif 000010
【図９】
2007167189.tif 000011
【図１０】
2007167189.tif 000012
【図１１】
2007167189.tif 000013
【図１２】
2007167189.tif 000014
【図１３】
2007167189.tif 000015
【図１４】
2007167189.tif 000016
【図１５】
2007167189.tif 000017
【図１６】
2007167189.tif 000018
【図１７】
2007167189.tif 000019
【図１８】
2007167189.tif 000020
【図１９】
2007167189.tif 000021
【図２０】
2007167189.tif 000022
【図２１】
2007167189.tif 000023
【図２２】
2007167189.tif 000024
【図２３】
2007167189.tif 000025
【図２４】
2007167189.tif 000026
【図２５】
2007167189.tif 000027
【図２６】
2007167189.tif 000028
【図２７】
2007167189.tif 000029